(57)【要約】【課題】玄関土間に隣接して、この玄関土間と床レベルが等しい土間が設けられた建物において、土間に居る人と部屋に居る人が会話をし易く、土間から車椅子を降りて部屋に容易に乗り移ることができる建物を提供する。【解決手段】玄関土間２に隣接して、玄関土間２と床レベルが等しい土間１２が設けられ、土間１２に隣接して部屋１６が土間１２と壁によって仕切られないようにして設けられ、この部屋１６の床レベルは、玄関土間２に隣接する玄関ホール３の床レベルより高くなっているので、部屋１６の床レベルが土間１２側から腰掛けるのにちょうどよい高さとなり、玄関土間２に訪れた人は、玄関土間２から土間１２に行って、土間側から部屋１６の床１９に腰掛けて部屋１６の人と容易に会話できる。また、車椅子を使用している人は土間１２から車椅子を降りて部屋１６に容易に乗り移ることができる。【選択図】図１
2010150804.tif 000002
【特許請求の範囲】
【請求項１】
玄関土間に隣接して、この玄関土間と床レベルが等しい土間が設けられた建物において、
前記土間に隣接して部屋が前記土間と壁によって仕切られないようにして設けられており、この部屋の床レベルは、前記玄関土間に隣接する玄関ホールの床レベルより高くなっていることを特徴とする建物。
【請求項２】
請求項１に記載の建物において、
前記土間の土間床は、太陽熱を蓄熱可能とする蓄熱土間床となっており、
前記土間と外部とを仕切る外壁には、太陽光を入射可能な開口部が設けられていることを特徴とする建物。
【請求項３】
請求項１または２に記載の建物において、
前記玄関土間は、前記玄関ホールに面して設けられた玄関ホール前土間と、この玄関ホール前土間と前記土間とを繋ぐ土間通路とを備えていることを特徴とする建物。
【請求項４】
請求項１〜３のいずれか一項に記載の建物において、
前記部屋の床の下方に、床下収納部が設けられていることを特徴とする建物。
【請求項５】
請求項１〜４のいずれか一項に記載の建物において、
前記玄関ホールと前記部屋との間には、廊下が設けられており、この廊下の一部が前記土間に面していることを特徴とする建物。
【発明の詳細な説明】
【技術分野】
【０００１】
本発明は、玄関土間に隣接して、この玄関土間と床レベルが等しい土間が設けられた建物に関する。
【背景技術】
【０００２】
玄関土間に隣接して、この玄関土間と床レベルが等しい土間が設けられた建物の一例として特許文献１に記載のものが知られている。
この建物では、玄関土間と土間が隣接配置されており、土間の隣にはリビングルーム等の部屋が設けられており、この部屋と土間とは、飾り窓を設けた壁で仕切られている。
このような建物では、玄関土間をさほど大きな空間としなくても、玄関土間と土間とで広い空間となり、その空間でゆっくり話し込んだり、遊ぶことができる。
【特許文献１】特開２００２−２１３４４号公報
【発明の開示】
【発明が解決しようとする課題】
【０００３】
ところが、前記従来の建物では、土間と部屋とが壁で仕切られているので、土間に居る人と部屋に居る人が会話をし難くいという問題がある。
また、前記壁を取り外したとしても、部屋の床レベルは、玄関ホールの床レベルと等しいので、土間に居る人が、部屋の土間側の床に腰掛け難く、比較的長い会話を行い難いという問題もある。
また、車椅子に乗っている人が車椅子で玄関土間から土間に行き、車椅子から降りて部屋に乗り移る場合、部屋の土間側の床に腰掛け難いので、部屋に乗り移り難いという問題もある。
【０００４】
本発明は上記事情に鑑みてなされたもので、玄関土間に隣接して、この玄関土間と床レベルが等しい土間が設けられた建物において、土間に居る人と部屋に居る人が会話をし易く、土間から車椅子を降りて部屋に容易に乗り移ることができる建物を提供することを課題としている。
【課題を解決するための手段】
【０００５】
上記課題を解決するために、請求項１に記載の発明は、例えば図１〜図３に示すように、玄関土間２に隣接して、この玄関土間２と床レベルが等しい土間１２が設けられた建物において、
前記土間１２に隣接して部屋１６が前記土間１２と壁によって仕切られないようにして設けられており、この部屋１６の床レベルは、前記玄関土間２に隣接する玄関ホール３の床レベルより高くなっていることを特徴とする。
【０００６】
ここで、前記玄関ホール３の床レベルは前記玄関土間２の床レベルとほぼ等しいか、所定高さだけ高くなっている。例えば玄関ホール３の床レベルと、玄関土間２の床レベルとの差は２００ｍｍ以下とするのが好ましい。
また、前記部屋１６の床レベルと、土間１２の床レベルとの差は、４００ｍｍ〜５００ｍｍとするのが好ましい。
【０００７】
請求項１に記載の発明によれば、土間１２に隣接して部屋１６が該土間１２と壁によって仕切られないようにして設けられており、この部屋１６の床レベルは、前記玄関土間２に隣接する玄関ホール３の床レベルより高くなっているので、部屋１６の床レベルを土間１２側から腰掛けるのにちょうどよい高さとすることができきる。
したがって、玄関土間２に訪れた人は、玄関土間２から土間１２に行って、土間側から部屋１６の床１９の縁部に腰掛けて部屋１６の人と容易に会話できる。
また、車椅子を使用している人は土間１２から車椅子を降りて部屋１６に容易に乗り移ることができる。
【０００８】
請求項２に記載の発明は、請求項１に記載の建物において、
前記土間１２の土間床１２ａは、太陽熱を蓄熱可能とする蓄熱土間床１２ａとなっており、
前記土間１２と外部とを仕切る外壁には、太陽光を入射可能な開口部１５が設けられていることを特徴とする。
【０００９】
請求項２に記載の発明によれば、冬季において、開口部１５から入射された太陽光の太陽熱を蓄熱土間床１２ａに蓄熱するので、夜間の室温低下を長時間抑制することができる。
【００１０】
請求項３に記載の発明は、請求項１または２に記載の建物において、
前記玄関土間２は、前記玄関ホール３に面して設けられた玄関ホール前土間２ａと、この玄関ホール前土間２ａと前記土間１２とを繋ぐ土間通路２ｂとを備えていることを特徴とする。
【００１１】
請求項３に記載の発明によれば、玄関ホール前土間２ａと土間１２とが土間通路２ｂによって繋がっているので、玄関ホール前土間２ａに居る人は、そこから土間全体を直接見渡すことができない。したがって、土間１２に居る人は、玄関ホール前土間２ａに訪れた来客に気を使うことなく、土間で会話できる。
【００１２】
請求項４に記載の発明は、請求項１〜３のいずれか一項に記載の建物において、
前記部屋１６の床１９の下方に、床下収納部２０が設けられていることを特徴とする。
【００１３】
請求項４に記載の発明によれば、前記部屋１６の床レベルが玄関ホール３の床レベルより高いので、部屋１６の床１９の下方に設けられた床下収納部２０の高さが高くなり、床下収納部２０の大型化を図れる。
【００１４】
請求項５に記載の発明は、請求項１〜４のいずれか一項に記載の建物において、
前記玄関ホール３と前記部屋１６との間には、廊下１７が設けられており、この廊下１７の一部が前記土間１２に面していることを特徴とする。
【００１５】
請求項５に記載の発明によれば、玄関ホール３に居る人が廊下１７に行って、そこで土間１２に居る人と会話できる。
【発明の効果】
【００１６】
本発明によれば、土間に隣接して部屋が該土間と壁によって仕切られないようにして設けられており、この部屋の床レベルは、前記玄関土間に隣接する玄関ホールの床レベルより高くなっているので、部屋の床レベルを土間側から腰掛けるのにちょうどよい高さとすることができきる。したがって、玄関土間に訪れた人は、玄関土間から土間に行って、土間側から床の縁部に腰掛けて部屋の人と容易に会話できる。また、車椅子を使用している人は土間から車椅子を降りて部屋に容易に乗り移ることができる。
【発明を実施するための最良の形態】
【００１７】
以下図面を参照して本発明の実施の形態について説明する。
図１は本発明に係る建物の一例を示す１階の平面図である。
図１において符号１は、玄関を示す。この玄関１は建物の西側に設けられており、玄関土間２、玄関ホール３、玄関ポーチ４等から構成されている。
玄関ホール３の北側に廊下５を挟んで洗面室６が設けられており、この洗面室６の西側に浴室７が設けられている。浴室７と玄関土間２との間にはトイレ８が設けられている。
また、玄関ホール３の東側に収納室９が設けられており、この収納室９の東側にダイニングキッチン１０が設けられている。このダイニングキッチン１０の南側に居間１１が設けられている。なお、玄関ホール３、廊下５、ダイニングキッチン１０、居間１１等の床レベルは等しくなっている。
【００１８】
前記玄関土間２の南側に隣接して土間１２が設けられている。この土間１２の床レベルは玄関土間２の床レベルと等しくなっている。
玄関土間２は、玄関ホール３に面して設けられた玄関ホール前土間２ａと、この玄関ホール前土間２ａと前記土間１２とを繋ぐ土間通路２ｂとを備えている。土間通路２ｂは車椅子が通れる程度の幅を有しており、この土間通路２ｂの側方には、物入れ１３，１３が土間通路２ｂを挟んで対向配置されている。この物入れ１３，１３は折り戸によって開閉されるようになっている。また、土間通路２ｂと土間１２とを仕切る壁に形成された開口部は、戸によって開閉されるようになっている。
【００１９】
前記土間１２の土間床１２ａは、太陽熱を蓄熱可能とする蓄熱土間床１２ａとなっている。この蓄熱土間床１２ａは、コンクリート製土間床で形成されている。このように形成した場合、蓄熱効果をより向上させることができる。すなわち、コンクリート製土間床は木質系の床と比べて熱容量が大きいため、日中の太陽熱を多く蓄熱することができ、室温が下がった夜間にも熱が持続され、快適な室内環境を形成することができる。
なお、蓄熱土間床１２ａの蓄熱効果を向上させるために、この蓄熱土間床１２ａと基礎との間に断熱材を介在させてもよい。
また、土間１２と外部とを仕切る外壁には、太陽光を入射可能な開口部１５が設けられている。この開口部１５はテラス窓であり、土間１２の左右の幅一杯に開口している。また、開口部１５は折り戸式のガラス戸１５ａによって開閉されるようになっている。そして、この開口部１５を通して太陽光が土間１２に入射可能となっており、この太陽光の太陽熱は蓄熱土間床１２ａに蓄熱されるようになっている。
なお、玄関ホール前土間２ａ、土間通路２ｂ、土間１２の床レベルは等しくなっている。
【００２０】
前記土間１２の東側に隣接して部屋１６が土間１２と壁によって仕切られないようにして設けられている。つまり、土間１２と部屋１６との境界部には、引違い式の引戸が設けられ、この引戸を閉めることによって、土間１２と部屋１６とは仕切ることができるが、引戸を開けるか、または外すことによって、土間１２と部屋１６とは仕切られていない状態となる。
部屋１６の床レベルは、前記玄関ホール３の床レベルより約２００ｍｍ程度高くなっている。また、玄関ホール３の床レベルは、玄関土間２の床レベルより約２００ｍｍ程度高くなっている。玄関土間２と土間１２の床レベルは等しいので、部屋１６の床レベルは、土間１２の床レベルより約４００ｍｍ程度高くなっている。この床レベルの差は、土間側から部屋１６の床に腰掛けるのに好ましいものとなっている。
【００２１】
また、玄関ホール３と部屋１６との間には廊下１７が設けられており、この廊下１７の端部の側方が土間１２に面している。この面している部分１７ａを通して、土間１２と廊下１７の行き来ができるようになっている。また、廊下１７の土間１２に面している部分１７ａの端部には、柱１８が設けられている。この柱１８は手で掴みやすいように円柱状に形成されており、部屋１６の角部でかつ廊下１７の土間１２に面している部分１７ａの端部に設けられている。
【００２２】
また、図３に示すように、部屋１６の床１９の下方には、床下収納部２０が設けられている。すなわち、床１９の下方には地盤上にコンクリートで形成された平版２１が設けられており、この平版２１と床１９との間が床下収納部２０となっている。
また、この床下収納部２０と土間１２とを仕切る壁（上り框を構成する壁）には、開口部が形成されており、この開口部に引戸２２，２２が左右にスライド可能に設けられている。そして、この引戸２２，２２を互いに離間するようにして左右にスライドさせることによって、開口部を開き、引戸２２，２２を互いに突き当てるようにして左右にスライドさせることによって、開口部を閉めるようになっている。そして、この開口部を通して床下収納部２０に側方から物を出し入れできるようになっている。
また、部屋１６の床１９の一部にも開口部が形成されており、この開口部は蓋１９ａによって開閉されるようになっている。そして、この開口部を通して床下収納部２０に上方からも物を出し入れできるようになっている。
【００２３】
本実施の形態によれば、土間１２に隣接して部屋１６が該土間１２と壁によって仕切られないようにして設けられており、この部屋１６の床レベルは、玄関土間２に隣接する玄関ホール３の床レベルより高くなっているので、部屋１６の床レベルを土間１２側から腰掛けるのにちょうどよい高さとすることができる。
したがって、玄関土間２に訪れた人は、玄関土間２から土間１２に行って、土間側から部屋１６の床１９の縁部に腰掛けて部屋１６の人と容易に会話できる。
また、車椅子を使用している人は土間１２から車椅子を降りて部屋１６に容易に乗り移ることができる。つまり、車椅子の座部と部屋１６の床１９の高さがほぼ等しいレベルとなるので、車椅子から部屋１６に容易に乗り移ることができる。
さらに、土間１２の土間床１２ａは、太陽熱を蓄熱可能とする蓄熱土間床１２ａとなっており、土間１２と外部とを仕切る外壁には、太陽光を入射可能な開口部１５が設けられているので、冬季において、開口部１５から入射された太陽光の太陽熱を蓄熱土間床１２ａに蓄熱でき、よって、夜間の室温低下を長時間抑制することができる。
【００２４】
また、玄関土間２は、玄関ホール３に面して設けられた玄関ホール前土間２ａと、この玄関ホール前土間２ａと土間１２とを繋ぐ土間通路２ｂとを備えているので、玄関ホール前土間２ａに居る人は、そこから土間全体を直接見渡すことができない。したがって、土間１２に居る人は、玄関ホール前土間２ａに訪れた来客に気を使うことなく、土間１２で会話できる。
また、部屋１６の床１９の下方に、床下収納部２０が設けられており、部屋１６の床レベルが玄関ホール３の床レベルより高いので、部屋１６の床１９の下方に設けられた床下収納部２０の高さが高くなり、床下収納部２０の大型化を図れる。
また、玄関ホール３と部屋１６との間には、廊下１７が設けられており、この廊下１７の一部が土間１２に面しているので、玄関ホール３の居る人が廊下１７に行って、そこで土間１２に居る人と会話できる。
【００２５】
また、柱１８が部屋１６の角部でかつ、廊下１７の土間１２に面している部分１７ａの端部に設けられているので、この柱１８を掴んで、土間１２から部屋１６や廊下１７に上がることができる。また、部屋１６の角部に柱１８があり、この角部と対向して壁があるので、土間１２と部屋１６との境界部に引戸等の戸を容易に設けることができる。
【００２６】
なお、本実施の形態では、図３に示すように、部屋１６の床１９を玄関ホール３の床レベルより高い位置に固定的に設けたが、これに代えて、図４に示すように、部屋１６の床１９を取り外し可能に設けてもよい。
すなわち、基礎上に玄関ホール３と床レベルが等しい床２５を設け、この床２５上に、枠体２６を着脱可能に設置してもよい。枠体２６は例えば矩形枠状に形成し、その上部に床１９を取り付ける。枠体２６は複数用意し、部屋１６の大きさに応じて所定の個数並べればよい。
そして、必要に応じて、床２５から枠体２６を取り外すことによって、床２５から床１９を取り外すことができるので、床２５を廊下１７、玄関ホール３、居間１１等の床レベルと等しくでき、それらの間の行き来が行い易くなる。また、枠体２６の内側を収納として使用できる。
【図面の簡単な説明】
【００２７】
【図１】本発明に係る建物の一例を示す１階の平面図である。
【図２】本発明に係る建物の要部を示す斜視図である。
【図３】本発明に係る建物の要部を示す側断面図である。
【図４】本発明に係る建物の要部の他の例を示す側断面図である。
【符号の説明】
【００２８】
１  玄関
２  玄関土間
２ａ  玄関ホール前土間
２ｂ  土間通路
３  玄関ホール
１２  土間
１２ａ  土間床
１５  開口部
１６  部屋
１７  廊下
１９  床
２０  床下収納部
【図１】
2010150804.tif 000003
【図２】
2010150804.tif 000004
【図３】
2010150804.tif 000005
【図４】
2010150804.tif 000006